(57)【要約】【課題】  表示手段に表示される原画像の構図や色に対して視認容易なトリミング境界を表示可能な写真処理装置を提供する。【解決手段】  トリミング境界を表示する切り取り枠の色情報を生成する切り取り枠色生成手段を設け、切り取り枠近傍内側部分の原画像の色に対して対比的な色にて切り取り枠を表示手段に表示する。【選択図】        図２
2006201448.tif 000002
【特許請求の範囲】
【請求項１】
画像情報を取り込む画像情報取り込み手段と、取り込んだ画像情報に画像処理を施す写真処理手段と、画像処理された画像情報を記録材に出力して写真プリントを形成する画像形成手段を有する写真処理装置において、
該写真処理装置は、
該写真処理手段にて画像処理された画像情報を可視画像として表示する表示手段と、
前記表示手段に記録材に出力する画像の範囲を枠画像で表示する切り取り枠画像の画像情報を生成する切り取り枠画像情報生成手段と、
前記切り取り枠画像の色を決定する切り取り枠色情報を生成する切り取り枠色情報生成手段と、
を有することを特徴とする写真処理装置。
【請求項２】
前記切り取り枠色情報生成手段は、
前記切り取り枠画像の近傍部に表示される画像のＲＧＢ色情報値の平均値（Ｒａ、Ｇａ、Ｂａ）と、所定の基準値（Ｒｒ、Ｇｒ、Ｂｒ）とを比較し、
比較結果により前記表示手段に表示される画像切り取り枠画像の色を、下記の切り取り枠色設定基準に基づくＲＧＢ色情報値（Ｒｈ、Ｇｈ、Ｂｈ）とする画像切り取り枠色情報を生成することを特徴とする請求項１に記載の写真処理装置。
切り取り枠色設定基準
Ｒａ≦Ｒｒ  のとき    Ｒｈ＝２３０±１０
Ｒａ＞Ｒｒ  のとき    Ｒｈ＝１０±１０
Ｇａ≦Ｇｒ  のとき    Ｇｈ＝２３０±１０
Ｇａ＞Ｇｒ  のとき    Ｇｈ＝１０±１０
Ｂａ≦Ｂｒ  のとき    Ｂｈ＝２３０±１０
Ｂａ＞Ｂｒ  のとき    Ｂｈ＝１０±１０
【請求項３】
前記所定の基準値（Ｒｒ、Ｇｒ、Ｂｒ）の色情報値は、Ｒｒ＝１００、Ｇｒ＝１００、Ｂｒ＝１００であることを特徴とする請求項２に記載の写真処理装置。
【発明の詳細な説明】
【技術分野】
【０００１】
本発明は、写真フィルム、写真、イラスト、ＣＧなどの原画像から取得したデジタル画像情報を記録材に出力して写真プリントを形成する写真処理装置に関する。
【背景技術】
【０００２】
写真プリントに代表されるような、原画像の少なくとも一部を記録材上に出力し、複写画像を形成する写真処理装置の分野において、例えば写真フィルムのような原画像を有する原稿をスキャナによって光電変換して取得したデジタル画像情報、あるいは、デジタルカメラから送り込まれたデジタル画像情報に必要な画像処理を施した後、プリント手段により記録材上に出力し写真プリントを得るものが登場してきている。プリント手段としてはサーマルプリンタや光プリントヘッド等があり、サーマルプリンタでは記録材である熱転写用紙に画像情報を出力して複写画像を形成し、光プリントヘッドでは記録材である写真印画紙に画像情報を出力後現像処理を施して写真プリントを形成する。
【０００３】
写真処理装置においてデジタル画像情報をプリント手段に出力するにあたり、変倍処理、トリミング処理、色補正等の画像処理を実施することが通常実施される。変倍処理とは、プリント手段に出力する画像の大きさを変えることであり、トリミング処理とは、画像の一部を切り取ったり、その位置を移動、あるいは、回転したりすることであり、また、色補正処理は、好ましい色調の複写画像が得られるように記録材に出力する情報の色調を補正することである。
【０００４】
このような写真処理装置では、写真画像情報を表示するＣＲＴや液晶のモニタを備えており、オペレータはモニタに表示される画像を視認しつつ操作入力手段であるマウスやキーボード等を操作して必要な画像処理を行うことが可能である。
【０００５】
原画像にトリミング処理を行う場合には、モニタ画面上に、記録材上に出力する範囲の境界を示すトリミング枠線と、デジタル画像情報の画像とを同時に表示し、オペレータがモニタ上の画像とトリミング枠線を目視確認しつつ、プリント手段に出力する画像の範囲や位置を調節、決定し、所望通りの複写画像を形成することが行われる。（例えば特許文献１）
しかしながら、モニタ画面を見ながら行われるトリミング処理作業にあたり、原画像の構図や色によってはトリミング枠線と原画像の区別がつきにくいことがあり、トリミング処理作業は、オペレータに多大な負荷を与えている。しかし、従来の写真処理装置では、原画像とトリミング境界との関係において視認性を改善する有効な手段はなかった。
【特許文献１】特開平１１−２８７２号公報
【発明の開示】
【発明が解決しようとする課題】
【０００６】
本発明の課題は、表示手段に表示される原画像の構図や色に対して視認容易なトリミング境界を表示可能な写真処理装置を提供することである。
【課題を解決するための手段】
【０００７】
上記課題は特許請求の範囲に記載の下記の手段により達成される。すなわち、
請求項１に記載の発明は「画像情報を取り込む画像情報取り込み手段と、取り込んだ画像情報に画像処理を施す写真処理手段と、画像処理された画像情報を記録材に出力して写真プリントを形成する画像形成手段を有する写真処理装置において、該写真処理装置は、
該写真処理手段にて画像処理された画像情報を可視画像として表示する表示手段と、前記表示手段に記録材に出力する画像の範囲を枠画像で表示する切り取り枠画像の画像情報を生成する切り取り枠画像情報生成手段と、前記切り取り枠画像の色を決定する切り取り枠色情報を生成する切り取り枠色情報生成手段と、を有することを特徴とする写真処理装置。」である。
また、請求項２に記載の発明は「前記切り取り枠色情報生成手段は、前記切り取り枠画像の近傍部に表示される画像のＲＧＢ色情報値の平均値（Ｒａ、Ｇａ、Ｂａ）と、所定の基準値（Ｒｒ、Ｇｒ、Ｂｒ）とを比較し、比較結果により前記表示手段に表示される画像切り取り枠画像の色を、下記の切り取り枠色設定基準に基づくＲＧＢ色情報値（Ｒｈ、Ｇｈ、Ｂｈ）とする画像切り取り枠色情報を生成することを特徴とする請求項１に記載の写真処理装置。
切り取り枠色設定基準
Ｒａ≦Ｒｒ  のとき    Ｒｈ＝２３０±１０
Ｒａ＞Ｒｒ  のとき    Ｒｈ＝１０±１０
Ｇａ≦Ｇｒ  のとき    Ｇｈ＝２３０±１０
Ｇａ＞Ｇｒ  のとき    Ｇｈ＝１０±１０
Ｂａ≦Ｂｒ  のとき    Ｂｈ＝２３０±１０
Ｂａ＞Ｂｒ  のとき    Ｂｈ＝１０±１０」である。
また、請求項３に記載の発明は「前記所定の基準値（Ｒｒ、Ｇｒ、Ｂｒ）の色情報値は、Ｒｒ＝１００、Ｇｒ＝１００、Ｂｒ＝１００であることを特徴とする請求項２に記載の写真処理装置。」である。
【発明の効果】
【０００８】
請求項１に記載の発明によれば、表示手段に記録材に出力する画像と切り取り枠とを表示するにあたり、切り取り枠の色を任意の色に設定することができ、切り取り枠と画像との境界が容易に視認可能な写真処理装置を提供できる。請求項２または３に記載の発明によれば、切り取り枠の色を切り取り枠近傍部の画像の平均的色調に対比的な色とすることが可能であるので、切り取り枠と記録材に出力する画像との境界の視認が容易な写真処理装置を提供できる。
【発明を実施するための最良の形態】
【０００９】
以下、本発明の実施の形態を図面に基づき説明する。図１は、本発明を実施した写真処理装置であるプリンタの概略構成図であり、図２は、プリンタの制御に関するブロック図である。このプリンタは、画像情報を記録した記録媒体より画像情報を読み取り、読み取った画像情報に基づいた画像を記録材上に出力し、複写画像である写真プリントを形成するプリンタである。
【００１０】
図１に示す本実施の形態のプリンタは、記録媒体より画像情報を読み取る読取手段として透過原稿スキャナ１１、反射原稿スキャナ１２、記憶メディア読み取り装置１３、接続端子１４を有している。
【００１１】
透過原稿スキャナ１１は、透過原稿の記録媒体に記録された画像情報を読み取る読取手段である、所謂、フィルムスキャナである。なお、透過原稿とは、カメラにより撮影され、現像処理された１３５フィルムやＡＰＳフィルムなどのネガフィルム或いはポジフィルム（リバーサルフィルム）である。反射原稿スキャナ１２は、反射原稿の記録媒体に記録された画像情報を読み取る読取手段である、所謂、フラットベッド型スキャナである。なお、反射原稿とは、印刷物や印画紙などである。記憶メディア読み取り装置１３は、記憶メディアに記憶された画像情報を読み取る読取手段であり、この記憶メディア読み取り装置１３は、フレキシブルディスク（ＦＤ）や光ディスク（ＣＤ，ＤＶＤ，ＭＯ，ＭＤなど）などの記憶メディアの着脱が可能であり、装着された記憶メディアに記録された画像情報を読み出し、読み取ることを可能にするものである。接続端子１４は、デジタルスチルカメラやデジタルムービーカメラなどデジタルカメラに設けられているビデオ出力端子或いはデジタル端子と接続される端子であり、デジタルカメラとシリアル通信或いはパラレル通信を行い、デジタルカメラのメモリなどの内部メモリに記録されている画像情報を読み出すことにより、画像情報を読み取る読取手段である。
【００１２】
これら、透過原稿スキャナ１１、反射原稿スキャナ１２、記憶メディア読み取り装置１３、接続端子１４で読み取られた画像情報は、後述するプリンタの制御手段２０と各読取手段とのデータの授受を行うための入出力部２１を介して、画像情報を記憶する画像記憶手段である画像メモリ２２に記憶される。この画像メモリ２２に記憶・蓄積された画像情報は、所謂、デジタル信号である。
【００１３】
モニタ２３は液晶ディスプレーであり、画像メモリ２２に記憶された画像情報を可視画像として表示可能な特許請求の範囲で述べた表示手段にあたる。
【００１４】
操作部２４は情報入力手段であり、マウスおよびキーボードを備えている。オペレータはマウスやキーボードを操作することにより画像処理情報を入力できる。
【００１５】
オペレータは、モニタ２３に表示された画像を見ながら操作部２４を操作して、カラーバランスやカラー濃度の設定、あるいは出力する画面の切り取り範囲や倍率の設定などの画像処理を行うことが可能である。
【００１６】
本実施の形態のプリンタは、画像形成手段３０を有し、画像形成手段３０は、記録材である印画紙Ｐ上に露光を行い潜像を形成する露光部３１と、露光部３１によって形成された潜像を現像し顕像化する現像部３２と、印画紙Ｐを複数の搬送ローラ対およびガイド部材にて搬送する搬送手段３３を有している。
【００１７】
本実施の形態では、記録材としてハロゲン化銀感光材料であるカラー印画紙Ｐ（以下、単に印画紙Ｐともいう）を用いている。この印画紙Ｐは、ロール状にマガジンＭ内に収納されている。そして、印画紙Ｐは、搬送手段３３によって、このマガジンＭから引き出され、露光部３１の下方の露光ステージ３４上、さらに、現像部３２内を、順次、搬送され、排紙皿３６上へと排紙される。本実施の形態においては、マガジンＭ内に収納されているロール状の印画紙Ｐは、所定のプリントサイズ（例えば、操作部２４に設けられたプリントサイズを指定するサイズ選択ボタン（不図示）によって指定されたプリントサイズ）の長さ（副走査方向の長さであり、図１において左右方向である）に、切断手段であるカッター３５によって切断されてシート状印画紙Ｐｃとなり、順次、搬送手段３３によって搬送される。
【００１８】
画像形成手段３０の露光部３１は、露光ステージ３４上の印画紙Ｐｃを光を照射し露光をする露光手段である。この露光部３１は、複数の波長成分の光を各々の波長成分毎に露光するために、赤色光を露光する赤色ヘッド３１Ｒ、緑色光を露光する緑色ヘッド３１Ｇ、青色光を露光する青色ヘッド３１Ｂを有する。各々のヘッド３１Ｒ，３１Ｇ，３１Ｂは、主走査方向（図１において紙面垂直方向）に複数の記録素子（発光素子）を線形（アレイ状）に並べたアレイヘッドである。各ヘッド３１Ｒ，３１Ｇ，３１Ｂから赤（Ｒ），緑（Ｇ），青（Ｂ）の各光が露光ステージ３４上を副走査方向に移動する印画紙Ｐｃ上に照射されることにより、印画紙Ｐｃに照射光に対応する潜像が形成される。なお、印画紙Ｐｃに照射される赤（Ｒ），緑（Ｇ），青（Ｂ）の各光は透過原稿スキャナ１１、反射原稿スキャナ１２、記憶メディア読み取り装置１３、接続端子１４で読み取られた画像情報を制御手段で画像処理した画像情報に基づくものであり、詳しくは後述する。
【００１９】
なお、本実施の形態では、赤色ヘッド３１Ｒ、緑色ヘッド３１Ｇ、青色ヘッド３１Ｂに、それぞれの色に発光するＬＥＤアレイをを用いているが、半導体レーザーから出射するレーザー光を、回転多面鏡等によって主走査方向に偏光する構成としてもよい。
【００２０】
現像部３２は、搬送されたシート状印画紙Ｐｃを一定速度で搬送しながら潜像を顕像化する処理をする手段である。現像部３２は、潜像が形成された印画紙Ｐｃを発色現像処理するための発色現像液を貯留する発色現像槽３２１と、発色現像処理された印画紙Ｐｃを漂白定着処理するための漂白定着液を貯留する漂白定着槽３２２と、漂白定着処理されたシート状印画紙Ｐｃを安定化処理するための安定化液を貯留する安定化槽３２３と、さらに、安定化処理された印画紙Ｐｃを乾燥させる乾燥部３２４と、を有している。印画紙Ｐｃは搬送手段３３により、所定の搬送経路を搬送され、発色現像槽３２１、漂白定着槽３２２、安定化槽３２３、乾燥部３２４内を、順次通過し、潜像が可視画像となり、複写画像である写真プリントが得られる。
【００２１】
図２は、プリンタの制御に関するブロック図である。
【００２２】
図２に示すように、制御手段２０は、プリンタの動作の制御を行うＣＰＵを有し、ＣＰＵは入出力部２１を介して、反射原稿スキャナ１１、透過原稿スキャナ１２、記憶メディア読み取り装置１３、接続端子１４と接続しており、画像メモリ２２、モニタ２３、操作部２４、画像処理手段２５、記憶手段２６、画像形成手段３０と接続している。なお、画像処理手段２５には、切り取り枠画像情報生成手段２５ａと、切り取り枠色情報生成手段２５ｂとを含み、画像形成手段３０には露光部３１、現像部３２、搬送手段３３を含む。
【００２３】
ＣＰＵは、記憶手段２６に収納されているプログラムにより、前述の反射原稿スキャナ１１、透過原稿スキャナ１２、記憶メディア読み取り装置１３、接続端子１４、画像メモリ２２、モニタ２３、操作部２４、画像処理手段２５、記憶手段２６、画像形成手段３０の動作の制御を行う。
【００２４】
画像処理手段２５は画像メモリ２２に記憶されている画像情報に、操作部２４から入力された画像処理情報に基づき、印画紙Ｐに出力する画像情報の範囲や倍率、回転角度、を変更、設定するトリミング処理や色補正等の画像処理を施しモニタ２３に表示する。モニタ２３に表示される可視画像を、以下、表示画像と呼ぶ。
【００２５】
画像処理手段２５における切り取り枠画像情報生成手段２５ａは、モニタ２３に記録材に出力する画像の範囲を額縁状の枠画像で表示する切り取り枠画像の画像情報を生成するする。画像処理手段２５は切り取り枠画像情報生成手段２５ａにて生成された切り取り枠画像情報に基づき記録材に出力する画像の範囲を示す切り取り枠画像をモニタ２３に表示する。モニタに表示される切り取り枠画像に囲まれ形成される範囲が記録材に出力する画像の範囲である。ここで、切り取り枠画像に囲まれ形成される範囲を画像出力エリアと呼ぶことにする。オペレータはモニタ２３にて印画紙Ｐに出力する画像と切り取り枠により形成される画像出力エリアとを同時に視認することができ、モニタ２３上の表示画像および切り取り枠画像とを見ながら、印画紙Ｐに出力する画像をオペレータの意図する画像が得られるまで、操作部２４を操作し、出力する範囲や倍率、回転角度を変更、設定することができる。
【００２６】
また、画像処理手段２５における切り取り枠色情報生成手段２５ｂは、モニタ２３に表示される切り取り枠の色を決定する切り取り枠色情報を生成する。画像処理手段２５は、切り取り枠色情報生成手段２５ｂにより生成される画像切り取り枠色情報により、モニタ２３に表示される画像切り取り枠の色を制御する。
【００２７】
なお、本字紙の例においては、切り取り枠画像情報生成手段および切り取り枠色情報生成手段を画像処理手段内に配設しているが、それらの両者、あるいは、いずれかを画像処理手段内に配設せずに、ＣＰＵに直結するように配設し、ＣＰＵの制御のもとに切り取り枠の表示、あるいは切り取り枠の色の形成を行うようにしても良い。
【００２８】
モニタ２３に表示される切り取り枠画像に囲まれる範囲は記録材に出力する画像の範囲である画像出力エリアであり、画像出力エリアは予め入力されたプリントサイズか又はデフォルトのプリントサイズのアスペクト比で表示され、操作部２４を操作することによって、画像出力エリアの位置や、大きさを変更することができる。
【００２９】
前述のように、切り取り枠色情報生成手段２５ｂはモニタ２３に表示する切り取り枠の色を決定する切り取り枠色情報を生成する。本実施の例におけるプリンタにおいては、モニタ２３に表示する切り取り枠の色をを最適な条件に自動的に形成することを可能にしている。
【００３０】
本実施の例における切り取り枠色情報生成手段２５ｂは、切り取り枠の内側輪郭部の近傍部の表示画像の画像情報のＲＧＢ色情報値（Ｒ、Ｇ、Ｂ）の平均値（Ｒａ、Ｇａ、Ｂａ）を算出し、その平均値（Ｒａ、Ｇａ、Ｂａ）を所定の基準値（Ｒｒ、Ｇｒ、Ｂｒ）と比較し、比較結果に基づきモニタ２３に表示する切り取り枠の色を下記の切り取り枠色設定基準により得られる色情報値（Ｒｈ、Ｇｈ、Ｂｈ）とする切り取り枠色情報を生成する。
【００３１】
＜切り取り枠色設定基準＞
Ｒａ≦Ｒｒ  のとき    Ｒｈ＝２３０±１０
Ｒａ＞Ｒｒ  のとき    Ｒｈ＝１０±１０
Ｇａ≦Ｇｒ  のとき    Ｇｈ＝２３０±１０
Ｇａ＞Ｇｒ  のとき    Ｇｈ＝１０±１０
Ｂａ≦Ｂｒ  のとき    Ｂｈ＝２３０±１０
Ｂａ＞Ｂｒ  のとき    Ｂｈ＝１０±１０
前記切り取り枠色設定基準により形成される切り取り枠色情報によりモニタ２３に表示される切り取り枠の色は、切り取り枠の内側輪郭部の近傍に位置する表示画像の色に対比的な色となるので、切り取り枠画像に囲まれ画像出力エリアと表示画像との境界が容易に視認可能となる。
【００３２】
切り取り枠の内側輪郭部とは上、下、左、右の切り取り枠位置から５０から１５０ピクセル内側が好ましい位置であり、本実施の例におけるプリンタにおいては、切り取り枠色情報生成手段２５ｂは、上、下、左、右の切り取り枠位置から１００ピクセル内側に位置する表示画像のＲＧＢ色情報値（Ｒ、Ｇ、Ｂ）を検出し、その平均値（Ｒａ、Ｇａ、Ｂａ）を所定の基準値（Ｒｒ、Ｇｒ、Ｂｒ）と比較し、比較結果に基づきモニタ２３に表示する切り取り枠の色を下記の切り取り枠色設定基準により得られる色情報値（Ｒｈ、Ｇｈ、Ｂｈ）とするように制御する。
Ｒａ≦Ｒｒ  のとき    Ｒｈ＝２３０
Ｒａ＞Ｒｒ  のとき    Ｒｈ＝１０
Ｇａ≦Ｇｒ  のとき    Ｇｈ＝２３０
Ｇａ＞Ｇｒ  のとき    Ｇｈ＝１０
Ｂａ≦Ｂｒ  のとき    Ｂｈ＝２３０
Ｂａ＞Ｂｒ  のとき    Ｂｈ＝１０
ここで、基準値（Ｒｒ、Ｇｒ、Ｂｒ）は、中間濃度であり、色情報値Ｒｒ＝１００、Ｇｒ＝１００、Ｂｒ＝１００くらいとすることが好ましく、本実施の例におけるプリンタでは、色情報値Ｒｒ＝１００、Ｇｒ＝１００、Ｂｒ＝１００に設定している。
【００３３】
すなわち本実施例における切り取り枠色設定基準は下記のようになる。
Ｒａ≦１００  のとき    Ｒｈ＝２３０
Ｒａ＞１００  のとき    Ｒｈ＝１０
Ｇａ≦１００  のとき    Ｇｈ＝２３０
Ｇａ＞１００  のとき    Ｇｈ＝１０
Ｂａ≦１００  のとき    Ｂｈ＝２３０
Ｂａ＞１００  のとき    Ｂｈ＝１０
このような設定にて形成される切り取り枠において、上、下、左、右の切り取り枠位置から１００ピクセル内側に位置する表示画像のＲＧＢ色情報値（Ｒ、Ｇ、Ｂ）の平均値（Ｒａ、Ｇａ、Ｂａ）と、所定の基準値（Ｒｒ＝１００、Ｇｒ＝１００、Ｂｒ＝１００）との比較結果に基づき生成、表示される切り取り枠の色を表１に示す。
【００３４】
【表１】
2006201448.tif 000003
【００３５】
表１に示すように、本実施例において生成される切り取り枠の色は白、黒を含め８種類であり、そのいずれかが表示画像の平均的な色調と所定の基準値（Ｒｒ＝１００、Ｇｒ＝１００、Ｂｒ＝１００）との比較結果を踏まえ自動的に生成される。表示される切り取り枠の色は、切り取り枠内側の表示画像に対して対比的な色となるので、切り取り枠と表示画像との境界が明瞭に識別可能であり、オペレータはトリミング処理を容易に行うことができる。
【００３６】
モニタ２３に表示される画面の模式図を図３に示す。図３において、Ａは表示画像Ａ、Ｆは切り取り枠Ｆであり、切り取り枠Ｆに囲まれる範囲が画像出力エリアであり、画像出力エリア内の画像Ａが記録材Ｐに出力される。
【００３７】
切り取り枠色情報生成手段２５ｂは、表示画像位置の切り取り枠の内側輪郭部位置から１００ピクセル内側に位置する画像のＲＧＢ色情報値を確認し、その平均値（Ｒａ、Ｇａ、Ｂａ）を基準値（Ｒｒ、Ｇｒ、Ｂｒ）と比較し、モニタ２３に表示する切り取り枠の色を前述の切り取り枠色設定基準により得られる色情報値（Ｒｈ、Ｇｈ、Ｂｈ）とする切り取り枠色情報を生成する。画像処理手段２５は、切り取り枠色情報生成手段２５ｂにより生成される画像切り取り枠色情報により、モニタ２３に表示される画像切り取り枠の色を制御する。切り取り枠色情報生成手段２５ｂにより生成される画像切り取り枠色情報により、図３における切り取り枠Ｆは、表１に示されるように切り取り枠Ｆ内側の表示画像Ａに対して対比的な色で表示されるので、切り取り枠Ｆと表示画像Ａの境界が明瞭に識別可能であり、オペレータはトリミング処理を容易に行うことができる。
【００３８】
図４は図３に示した原画像情報をを印画紙Ｐに出力するに際し、画像の大きさ、位置を変化させるトリミング処理を行いモニタに表示させた画面の模式図である。
【００３９】
図３で説明したのと同様に、切り取り枠色情報生成手段２５ｂは、表示画像位置の切り取り枠の内側輪郭部位置から１００ピクセル内側に位置する画像のＲＧＢ色情報値を確認し、その平均値（Ｒａ、Ｇａ、Ｂａ）を基準値（Ｒｒ、Ｇｒ、Ｂｒ）と比較し、モニタ２３に表示する切り取り枠の色を前述の切り取り枠色設定基準により得られる色情報値（Ｒｈ、Ｇｈ、Ｂｈ）とする切り取り枠色情報を生成するが、切り取り枠の内側輪郭部位置から１００ピクセル内側に位置する画像位置における画像は、トリミング処理により図３に示した画像とは変化している。このような場合でも切り取り枠は、変化した画像位置におけるＲＧＢ色情報の平均値（Ｒａ、Ｇａ、Ｂａ）から表１に示されるように切り取り枠Ｆ内側の表示画像Ａに対して対比的な色で表示されるので、切り取り枠Ｆと表示画像Ａとの境界部分とが明瞭に識別可能であり、トリミング処理を容易に行うことができる。
【００４０】
このように、表示画像Ａの位置及び大きさを変更させても、切り取り枠Ｆは常に切り取り枠Ｆの近傍の表示画像Ａの色に対比的な色で表示されるので、切り取り枠Ｆと表示画像Ａとの境界は常に明瞭であり、トリミング処理作業を容易に行うことが可能である。またトリミング調整は表示画像Ａの大きさ、位置を固定し、切り取り枠Ｆが囲む画像出力エリアの大きさ、位置を変化させることによっても実行可能であるが、この場合でも、切り取り枠Ｆは常に切り取り枠Ｆの近傍の表示画像Ａの色に対比的な色で表示されるので、切り取り枠Ｆと表示画像Ａとの境界が常に明瞭であり、トリミング処理作業を容易に行うことが可能である。
【００４１】
なお、本実施の例では切り取り枠Ｆの色を自動的に表示画像Ａに対して最適な色に変換しているが、オペレータが切り取り枠Ｆおよび表示画像Ａを目視確認しながら操作部２４を操作して、切り取り枠Ｆを視認性の良い色になるように構成しても良い。
【００４２】
本実施の形態におけるプリンタにより、フィルムに形成された写真コマから写真プリントを得るにあたり、トリミング処理作業を行うときの動作は以下のようになる。
【００４３】
画像情報を読み取る読取手段のいずれか、例えばフィルムを透過原稿スキャナ１１に投入して、原画像の画像情報を取得する。原画像としての写真コマから取得された画像情報は入出力部２１を経てＣＰＵに送付される。印画紙Ｐに出力対象となる写真コマに対応する画像情報の画像（表示画像Ａ）および切り取り枠がモニタ２３に表示される。切り取り枠に囲まれる範囲が画像出力エリアであり、この画像出力エリア内の画像が記録材Ｐに出力され写真プリントとなる。オペレータは、モニタ２３に表示される表示画像および切り取り枠を視認しながら操作部２４を操作してトリミング処理作業を行う。
【００４４】
トリミング条件設定手段２５ａは、上、下、左、右の切り取り枠位置から１００ピクセル内側の位置における表示画像のＲＧＢ色情報値（Ｒ、Ｇ、Ｂ）の平均値（Ｒａ、Ｇａ、Ｂａ）を所定の基準値（Ｒｒ、Ｇｒ、Ｂｒ）と比較し、比較結果に基づきモニタ２３に表示する切り取り枠の色を切り取り枠色設定基準により得られる色情報値（Ｒｈ、Ｇｈ、Ｂｈ）とするように制御する。このように形成される切り取り枠は、切り取り枠近傍部分の表示画像の色に対して対比的な色で表示されるので、切り取り枠と表示画像の境界が明瞭に識別でき、オペレータは原画像に対する画像出力エリアを容易に視認でき、印画紙Ｐに出力する画像の大きさ、位置等を設定するトリミング処理作業を正確に行うことができる。
【００４５】
トリミング処理が完了すると、オペレータは、操作部２４に設けられたプリント開始を指示するプリントボタン（不図示）を押圧する。このプリントボタンの押圧を受け、画像処理されたトリミング情報を含む画像情報は、画像形成手段３０へと転送され、画像形成手段３０は印画紙Ｐ上に画像情報を出力し印画紙Ｐに潜像を形成する。印画紙Ｐは現像部３２を通過して潜像が可視画像となり写真プリントが形成される。
【００４６】
以上、本発明により、表示手段であるモニタに表示される原画像の構図や色に対して視認容易なトリミング境界を表示可能な写真処理装置を提供することが可能となる。
【図面の簡単な説明】
【００４７】
【図１】本発明を実施した写真処理装置であるプリンタの概略構成図である。
【図２】本発明を実施したプリンタの制御に関するブロック図である。
【図３】モニタに表示される画面および切り取り枠の模式図である。
【図４】画像のトリミング処理を行いモニタに表示させた画面および切り取り枠の模式図である。
【符号の説明】
【００４８】
１１  透過原稿スキャナ
１２  反射原稿スキャナ
１３  記憶メディア読み取り装置
１４  接続端子
２０  制御手段
２１  入出力部
２２  画像メモリ
２３  モニタ
２４  操作部
２５  画像処理手段
２５ａ  切り取り枠画像情報生成手段
２５ｂ  切り取り枠色情報生成手段
２７  記憶手段
３０  画像形成手段
３１  露光部
３２  現像部
３６  排紙皿
Ｐ  印画紙Ｐ
Ｍ  マガジンＭ
【図１】
2006201448.tif 000004
【図２】
2006201448.tif 000005
【図３】
2006201448.tif 000006
【図４】
2006201448.tif 000007